(57)【要約】【課題】  圃場の作物の育成、調整、土壌、肥料の流亡を総合的に管理する作物育成枠。【解決手段】  帯び状鋼材の長手の一辺を端縁部に沿って凹凸に折り曲げ両端部を段違いに結合し、該凹凸が周縁部に周設し上面が螺旋軌道を形成する環状枠と、該環状枠の前記凹凸部に螺合する開口部周縁に凹凸を螺旋状に形成する円筒状のプラスチックキャップとから成る。【選択図】図４
0003121897.tif 000002
【実用新案登録請求の範囲】
【請求項１】
長手方向に沿って一辺の端部を折り曲げ凹凸を形成する可撓性帯状材の端部を段違いに結合して該凹凸部の螺旋軌道を形成する環状枠と、該環状枠の前記凹凸部に螺合する開口部周縁に凹凸部を螺旋状に形成する円筒状キャップとから成る作物育成枠。
【考案の詳細な説明】
【技術の分野】
【０００１】  本考案は圃場の作物の育成、調整、土壌、肥料の流亡を総合的に管理する作物育成枠に関するものである。
【技術の背景】
【０００２】  一般的に従来の技術では鉢の上を透明なプラスチックキャップで覆い保温するもの（特開２００４−１３５６４８）や、自然分解する帯状部材に係止穴を連続して設け、これを環状に折り曲げ、端部の突起を植物の周りに差し込み、輪の中の水抜きと土留めを行うもの（特開２０００−３４２０６８）が知られている。
【０００３】  宿根性の作物や育苗した幼苗を圃場に定植後の栽培管理は、もっぱらビニールトンネルやビニールハウスで行うのが一般的である、しかし、傾斜地の長いビニールトンネルで上部を開口した時に、梅雨、夏季の大雨で土壌、施肥、マルチ材、農薬の流亡や偏り現象が避けられなく個々の作物の生育状況にバラつきが生じたり、極端な場合に枯死したりすることがある。
【０００４】  また、傾斜地の長いビニールトンネル内の高低差による空気の対流で、高い位置の温度が上昇し低い位置の温度が下降する現象で、温度と湿度差が大きく、栽培管理が困難となりその結果作物の生育状況にバラつきが生じている。
【０００５】  又、ウド、アスパラガス、葱等の軟白栽培は作物に大量の植物性マルチ材や盛土で覆うか、堅牢な寒冷紗枠を設置し数枚の寒冷紗を重ね、労力と費用を掛け遮光作業を行うのが一般的である。
【０００６】  そして、一般住宅のガーデニングで家庭菜園や花卉栽培でビニールハウス、ビニールトンネルは大き過ぎ、美観や設置、管理性が悪く実用的ではない。
【０００７】  前記のように個々の栽培作物の生育状況管理による設置、撤去をするのが理想的であるが、これ等の作業を行うのには多大な労力と費用が掛かり現実的ではない。
【０００８】
【特許文献１】  特開２０００−３４２０６８
【考案の開示】
【考案が解決しようとする課題】
【０００９】  上記述べたようにこれ等の問題に鑑み成されたもので、個々の栽培管理がし易く省力で効率が良く、土壌、施肥、潅水、マルチ材、農薬の流亡が無く温度、湿度、遮光の管理、軟白栽培にも活用でき、美観性も良く設置、撤去の簡便性が良い作物育成枠を提供することを目的とする。
【問題を解決するための手段】
【００１０】  長手方向に沿って一辺の端部を折り曲げ凹凸を形成する可撓性帯状材の端部を段違いに結合して該凹凸部の螺旋軌道を形成する環状枠と、該環状枠の前記凹凸部に螺合する開口部周縁に凹凸部を螺旋状に形成する円筒状キャップとを設けたことを特徴とする。
【考案の効果】
【００１１】  本考案は帯状材の長手の一辺を凹凸に折り曲げ、該凹凸部が周縁部に周設するように環状に曲げて両端に段差を付けて結合し、螺旋軌道を形成する環状枠を前記凹凸部を上部ににし、圃場の定植作物の中心の周りに差込み、施肥、潅水、マルチ材、農薬を施す、この状態で平地、傾斜地でも大雨による施肥、潅水、マルチ材、農薬の流亡が防げるとともに、作物の幼苗期の温度管理に必要に応じて環状枠の螺旋に円筒状キャップの下端の凹凸部を螺合させて使用することが出来る。
【００１２】  透明な円筒状キャップを使用すればビニールトンネルの効果も有り、簡単に円筒状キャップの着脱が出来るため生育管理、収穫時の労力を省力化することが出来る。
【００１３】  着脱が簡単な円筒状キャップを完全遮光性で通気性の良い物を使用すればウド、アスパラガス、葱等の軟白栽培に極めて有効に活用できる。
【００１４】  一般住宅のガーデニングで家庭菜園や花卉栽培ではビニールハウス、ビニールトンネルは大き過ぎ、美観や設置、管理性が悪いが作物育成枠はこれ等のことも満足できる。
【００１５】  構造が非常に簡単で製造コストが少なく、特に環状枠を亜鉛メッキの硬質鋼板を使用すれば、繰り替えし使用でき総合的に安価な作物育成枠を提供することが出来る。
【００１６】  本、作物育成枠は作物が生長して不要になった場合、環状枠の結合部の係止片を取り外し、接続部を開張し簡単に撤去することができる。
【考案を実施するための最良の形態】
【００１７】  所定の長さで帯状硬質鋼板の一辺の端部を長手方向に沿って凹凸が形成するように折り曲げ、端から０．１メートル前後の位置に一端の係止穴を、もう一方の端から０．１メートル前後の位置に他端の係止穴を設け、０．０２メートル前後の段差が付くように、折り曲げたバネ鋼を穴に挿入し周縁部に凹凸部が周設するように段違いに結合し、該凹凸部の螺旋軌道を形成する環状枠と、前記凹凸部に螺合する開口部周縁に凹凸部を螺旋状に形成する円筒状キャップとを設けたことを特徴とする。
【実施例】
【００１８】  以下、添付図面に従って実施例を説明する、所定の長さの帯状硬質鋼板を長手の一辺を凹凸１Ａに折り曲げ、該凹凸１Ａが周縁部に周設するように環状に曲げた環状枠１の、端から０．１メートル前後の位置に一端の係止穴１Ｂを、もう一方の端から０．１メートル前後の位置に他端の係止穴１Ｃが、前記凹凸１Ａの上面から０．０２メートル程度の段差１Ｅが付くように設け、前記一端の係止穴１Ｂと該他端の係止穴１Ｃに、折り曲げたバネ鋼３で着脱自在に係止し、前記凹凸１Ａ周縁部の上面が前記環状枠の螺旋１Ｄに、円筒状キャップ２開口周縁部にキャップの凹凸２Ｂを設けたキャップの螺旋２Ｃを、前記環状枠の螺旋１Ｄに螺合し離脱しないようにした。
尚、本実施例では環状枠１の材質は帯び状硬質鋼板を、適宜係止手段の係止受け部と係止合わせ部は、双方の穴に折り曲げたバネ鋼３を貫通して係止している。【００１９】  図１に示す帯び状硬質鋼板の一辺を凹凸１Ａに折り曲げ、周縁部に周設するように環状に曲げ、一端の係止穴１Ｂと他端の係止穴１Ｃに、折り曲げたバネ鋼３が貫通して係止する穴を設ける、この時、前記他端の係止穴１Ｃは前記一端の係止穴１Ｂの上面から図３の段差１Ｅの距離だけ上側に設ける。【００２０】  図２は円筒上部が開口２Ａし、下部に周設するキャップの凹凸２Ｂを設けた円筒状キャップ２を示し、キャップの螺旋２Ｃが環状枠１の螺旋１Ｄに螺合するように設けられている。【００２１】  図３は図１の環状枠１の一端の係止穴１Ｂの外側に他端の係止穴１Ｃを合わせ、折り曲げたバネ鋼３を双方の穴に挿入して止める、この時、該他端の係止穴１Ｃの穴を段差が付く距離だけ上側に設けているので、段差１Ｅになり前記環状枠１の凹凸１Ａ面が環状枠の螺旋１Ｄになることを示す。【００２２】  図４は図３の環状枠１の凹凸１Ａの外側に、図２のキャップの凹凸２Ｂを螺合したのを示す。
本実施例では、キャップの凹凸２Ｂは、環状枠１の螺旋１Ｄの外側に螺合したのを示す。【００２３】  図５は環状枠１の凹凸１Ａと、キャップの凹凸２Ｂを螺合した拡大一部断面図で、該環状枠１の外側に該キャップの凹凸２Ｂが螺合しているのを示す。【００２４】  図６は環状枠１の凹凸１Ａと、キャップの凹凸２Ｂを螺合した拡大一部断面図で、該環状枠１の内側に該キャップの凹凸２Ｂが螺合しているのを示す、この場合は前記環状枠１の外形を少し大きくするため、一端の係止穴１Ｂと他端の係止穴１Ｃの位置を折り曲げたバネ鋼３を差し替える。【００２５】  図７は圃場４に植えた作物５に環状枠１に円筒状キャップ２を外側に螺合した状態を示し、作物育成枠を使用する場合は、該圃場４に該作物５を定植し、該作物５を中心に前記環状枠１を前記圃場４に押し込み大雨や、潅水で該環状枠１内の、土壌、施肥、マルチ材、農薬等が流亡しないようにする、又、前記作物５の幼苗期に温度、湿度を必要とする場合は前記円筒状キャップ２を装着して該作物５の育成を促進させる。【００２６】  構造が非常に簡単で製造コストが少なく特に環状枠を亜鉛メッキの硬質鋼板に、円筒状キャップを少し厚い物を使用すれば充分な耐久性が有り、繰り替えし使用ができ総合的に安価な作物育成枠を提供することが出来る。【００２７】  透明な円筒状キャップを使用すればビニールトンネルの効果も有り、簡単に円筒状キャップの着脱が出来るため生育管理、収穫時の労力を省力化することが出来る。【００２８】  着脱が簡単な円筒状キャップを完全遮光性で通気性の良い物と交換すればウド、アスパラガス、葱等の軟白栽培が簡単にできる。【００２９】  一般住宅のガーデニングで家庭菜園や花卉栽培に美観性や設置、管理性が良いので非常に利用価値がある。【００３０】  潅木系果樹のミカン、ブルーベリー、葡萄、及び各種の果樹系や幼木育成に利用することができる。【００３１】  環状枠が帯状硬質鋼板製であれば設置した後、越冬しても耐久性があり雪による破損がなく幼木育成に数年継続して使用でき、雪解け水の土壌、施肥、マルチ材、農薬の流亡を防止することができ非常に有効である。【００３２】  作物育成枠が不要になった場合、環状枠の合わせ部の折り曲げたバネ鋼を取り外し、接続部を開張して簡単に撤去することができる。
【産業上の利用可能性】
【００３３】  本考案に関わる作物育成枠は、工業製品として量産することが可能なため産業上の利用可能性を有する。
【図面の簡単な説明】
【００３４】
【図１】本考案の環状枠の斜視図
【図２】本考案の円筒状キャップ斜視図
【図３】本考案の環状枠組み立て斜視図
【図４】本考案の環状枠と円筒状キャップの組み立て斜視図
【図５】本考案の円筒状キャップが外側に螺合した拡大一部断面図
【図６】本考案の円筒状キャップが内側に螺合した拡大一部断面図
【図７】本考案の圃場で作物を覆った環状枠と円筒状キャップの斜視図
【符号の説明】
【００３５】  １・・・・環状枠
１Ａ・・・凹凸
１Ｂ・・・一端の係止穴
１Ｃ・・・他端の係止穴
１Ｄ・・・環状枠の螺旋
１Ｅ・・・段差
２・・・・円筒状キャップ
２Ａ・・・開口
２Ｂ・・・キャップの凹凸
２Ｃ・・・キャップの螺旋
３・・・・折り曲げたバネ鋼
４・・・・圃場
５・・・・作物
【図１】
0003121897.tif 000003
【図２】
0003121897.tif 000004
【図３】
0003121897.tif 000005
【図４】
0003121897.tif 000006
【図５】
0003121897.tif 000007
【図６】
0003121897.tif 000008
【図７】
0003121897.tif 000009